(57)【要約】      （修正有）【課題】ドライブシャフトに対するグリス塗布ならびにオイル注入に係る設備が等不要となる、ドライブシャフトを好適に潤滑することが可能な潤滑構造を提供する。【解決手段】ドライブシャフト1L,1Rが挿入されるサイドギヤ2L,2Rの内周面の内、ピニオンシャフト４側の内周面端部を、内径が他の内周面より拡径した大径部２bL,２bRとすると共に、円筒形の蓋部材20L,20Rをサイドギヤ2L,2R内周面の内でスプライン歯２aL,２aRが形成されていない内周面先端部分に圧挿入し、所定量のオイルが充填されたトランスミッション内部を蓋部材20L,20Rによって密閉構造とする。そして、ドライブシャフト1L,1Rをサイドギヤ2L,2R内部に挿入すると、蓋部材20L,20Rが大径部２bL,２bRに押しやられ、トランスミッション内部の密封構造が解除され、ドライブシャフト1L,1Rが潤滑油によって潤滑される。【選択図】図１
2016148410.tif 000002
【特許請求の範囲】
【請求項１】
左右の駆動輪へ駆動力をそれぞれ伝達するドライブシャフトと、該ドライブシャフトと一体に回転するように同軸上にそれぞれ取り付けられたサイドギヤと、該サイドギヤに常時噛み合いながらケースに固定されたピニオンシャフト上に回転自在にそれぞれ取り付けられたピニオンギヤとを有する、前記駆動輪間の回転差を吸収しながら前記駆動力を前記ドライブシャフトへそれぞれ配分する差動装置において、
前記ドライブシャフトが挿入される前記サイドギヤの内周面の内、前記ピニオンシャフト側の内周面端部は内径が他の内周面より拡径した大径部を形成し、且つ該内周面端部をシールする蓋部材によって所定量のオイルが充填されたトランスミッション内部が密閉されており、
前記ドライブシャフトが前記サイドギヤ内に挿入されるとき、該ドライブシャフトが前記蓋部材に当接することにより、該蓋部材のシールが壊され前記ドライブシャフトは前記トランスミッション内部の前記潤滑油によって潤滑されるように構成されていることを特徴とするドライブシャフトの潤滑構造。
【請求項２】
前記蓋部材は前記サイドギヤ内部に圧挿入され、前記ドライブシャフトが前記サイドギヤ内に挿入されるとき、前記蓋部材は前記ドライブシャフトによって押しやられ前記大径部に嵌ることを特徴とする請求項１に記載のドライブシャフトの潤滑構造。
【請求項３】
前記蓋部材は突起部と該突起部の回りに形成された部分円又は楕円状の薄肉部とを備え、前記ドライブシャフトが前記サイドギヤ内に挿入されるとき、該ドライブシャフトが前記突起部に当接することにより前記薄肉部が破断されることを特徴とする請求項１に記載のドライブシャフトの潤滑構造。
【発明の詳細な説明】
【技術分野】
【０００１】
本発明はドライブシャフトの潤滑構造に関し、より詳細にはドライブシャフトに対するグリス塗布ならびに車体工場におけるオイル注入設備等が不要となるドライブシャフトの潤滑構造に関するものである。
【背景技術】
【０００２】
トランスミッションは、トランスミッション工場において内部にオイルが注入される。オイルが注入されたトランスミッションは、車体工場へ移送され、車体工場でドライブシャフトが取り付けられる。トランスミッション内部のオイルの油面はドライブシャフト挿入口より高いため、移送中に内部のオイルが外部へ漏洩しないように、ドライブシャフト挿入口は蓋によってシールされている。そして、車体工場でトランスミッションが車輌に搭載される際、ドライブシャフト・スプラインに対する潤滑が必要となる。
図６に示されるように、従来のドライブシャフトの潤滑構造５００では、ドライブシャフト５０１Ｌ,５０１Ｒが挿入されるサイドギヤ５０２Ｌ,５０２Ｒの内周面端部の内、ピニオンシャフト５０４側の内周面端部は固定蓋５２０Ｌ,５２０Ｒによってそれぞれシールされ、トランスミッション内部はオイルに対し密閉構造を有していた。この場合、ドライブシャフト５０１Ｌ,５０１Ｒとサイドギヤ５０２Ｌ,５０２Ｒとの結合部の潤滑については、トランスミッション内部のオイルで潤滑することが出来ないため、予めドライブシャフト５０１Ｌ,５０１Ｒの該当箇所にグリスＧを塗布することによって行っていた。
【０００３】
グリス潤滑以外のドライブシャフトの潤滑構造としては、差動装置（ディファレンシャル装置）において、ドライブシャフト外周面に対面するデフケース内面に螺旋状の第１通路を形成し、その第１通路に連通しサイドギヤの中心軸に沿ってピニオンシャフトへ貫通する第２通路を形成し、その第２通路に連通しピニオンギヤの中心貫通穴に沿ってピニオンシャフト外周面に第３通路を形成し、変速機ケースの底部に貯留した潤滑油がリングギヤによって掻き上げられ、その掻き上げられた潤滑油が上記第１通路、第２通路および第３通路を流れ、これによりドライブシャフトがオイルによって好適に潤滑されるように構成されたドライブシャフトの潤滑構造（差動装置）が知られている（例えば、特許文献１を参照。）。
【０００４】
また、第１ケースの第１軸受装着部のデフケース側の端面に、その先端面の少なくとも一部が油捕捉リブの先端面に対向するように、筒状の凸部を突設するとともに、この凸部の先端面が第１ケースと第２ケースとの合わせ面と同一平面に位置するように形成し、これによりドライブシャフトが挿通されるデフケースの内部に潤滑油が効率よく供給されるように構成されたドライブシャフトの潤滑構造（差動装置）が知られている（例えば、特許文献２を参照。）。
【０００５】
また、トランスミッションケース内周面に、内周面外側からケース開口へ通じる直線状溝の潤滑油案内溝と、ケース開口の外周縁に沿ってその潤滑油案内溝に連通する環状溝とをそれぞれ形成し、これによりファイナルドリブンギヤ（リングギヤ）によって掻き上げられた潤滑油が差動装置のインボード部に効率よく供給されるように構成されたドライブシャフトの潤滑構造（差動装置）が知られている（例えば、特許文献３を参照。）。
【先行技術文献】
【特許文献】
【０００６】
【特許文献１】特開２０１４−１９０５２６号公報
【特許文献２】特許第４１５９３５０号
【特許文献３】特許第４４０９９２９号
【発明の概要】
【発明が解決しようとする課題】
【０００７】
上記特許文献１から３に係るドライブシャフトの潤滑構造は、いずれもドライブシャフトの外周面、サイドギヤ、ピニオンシャフト、或いはトランスミッションケースに対し、潤滑油が流れる通路または溝等を設けることにより、ファイナルドリブンギヤ（リングギヤ）によって掻き上げられた潤滑油を、ドライブシャフトを含む差動装置内部へ案内するようにしたものである。
しかし、上記特許文献に係る潤滑方法は、車体工場においてトランスミッションにドライブシャフトが組付けられた後、トランスミッションにオイルを注入するための設備が必要となる。すなわち、オイル管理・注入設備がオイル種類毎に必要となり、それに加えてオイルメーカー毎の供給環境も個別に整える必要がある。また、各油圧回路へのオイル充填作業等が別途必要となる。なお、全ての生産拠点が必ずしもこれらの設備を備えているとは限らない。
他方、ドライブシャフトのグリス潤滑方法では、サイドギヤのドライブシャフト挿入口に蓋が有りトランスミッション内部が密閉構造を成している。予めトランスミッション工場でオイル注入が可能である。従って、車体工場における設備の負担はない。
しかし、グリスの選択、グリスの量および塗り方の管理、さらにはグリス潤滑構造の耐久性に係る課題を上記グリス潤滑方法は有している。
そこで、本発明は、上記従来技術の問題点に鑑み成されたものであり、その目的は、ドライブシャフトに対するグリス塗布ならびに車体工場におけるオイル注入設備等が不要となるドライブシャフトの潤滑構造を提供することにある。
【課題を解決するための手段】
【０００８】
上記目的を達成するための本発明に係るドライブシャフトの潤滑構造では、左右の駆動輪へ駆動力をそれぞれ伝達するドライブシャフト（１Ｌ,１Ｒ）と、該ドライブシャフト（１Ｌ,１Ｒ）と一体に回転するように同軸上にそれぞれ取り付けられたサイドギヤ（２Ｌ,２Ｒ）と、該サイドギヤ（２Ｌ,２Ｒ）に常時噛み合いながらケース（５）に固定されたピニオンシャフト（４）上に回転自在にそれぞれ取り付けられたピニオンギヤ（３Ｕ,３Ｌ）とを有する、前記駆動輪間の回転差を吸収しながら前記駆動力を前記ドライブシャフト（１Ｌ,１Ｒ）へそれぞれ配分する差動装置において、
前記ドライブシャフト（１Ｌ,１Ｒ）が挿入される前記サイドギヤ（２Ｌ,２Ｒ）の内周面の内、前記ピニオンシャフト（４）側の内周面端部は内径が他の内周面より拡径した大径部（２bL,２bR）を形成し、且つ該内周面端部をシールする蓋部材（２０Ｌ,２０Ｒ）によって所定量のオイルが充填されたトランスミッション内部が密閉されており、
前記ドライブシャフト（１Ｌ,１Ｒ）が前記サイドギヤ（２Ｌ,２Ｒ）内に挿入されるとき、該ドライブシャフト（１Ｌ,１Ｒ）が前記蓋部材（２０Ｌ,２０Ｒ）に当接することにより、該蓋部材（２０Ｌ,２０Ｒ）のシールが壊され前記ドライブシャフト（１Ｌ,１Ｒ）は前記トランスミッション内部の前記潤滑油によって潤滑されるように構成されていることを特徴とする。
【０００９】
上記構成では、上記ドライブシャフト（１Ｌ,１Ｒ）によって上記蓋部材（２０Ｌ,２０Ｒ）のシールが壊され、トランスミッション内部の潤滑油がドライブシャフト（１Ｌ,１Ｒ）側へ流れ出てドライブシャフト（１Ｌ,１Ｒ）とサイドギヤ（２Ｌ,２Ｒ）との結合部を潤滑するようになる。つまり、差動装置（ディファレンシャル装置）単体では、サイドギヤ（２Ｌ,２Ｒ）の内部が上記蓋部材（２０Ｌ,２０Ｒ）によってシールされ、トランスミッション内部が密閉構造となり、所定量の潤滑油がトランスミッション内部に保持されている。そして車輌組付け時において、ドライブシャフト（１Ｌ,１Ｒ）をサイドギヤ（２Ｌ,２Ｒ）の内部へ挿入することにより、上記蓋部材（２０Ｌ,２０Ｒ）のシールが壊され、これによりトランスミッション内部の密閉構造が解除され、ドライブシャフト（１Ｌ,１Ｒ）側へ流れ出た潤滑油によってドライブシャフト（１Ｌ,１Ｒ）がオイル潤滑された状態となる。
【００１０】
本発明に係るドライブシャフトの潤滑構造の第２の特徴は、前記蓋部材（２０Ｌ,２０Ｒ）は前記サイドギヤ（２Ｌ,２Ｒ）内部に圧挿入され、前記ドライブシャフト（１Ｌ,１Ｒ）が前記サイドギヤ（２Ｌ,２Ｒ）内に挿入されるとき、前記蓋部材（２０Ｌ,２０Ｒ）は前記ドライブシャフト（１Ｌ,１Ｒ）によって押しやられ前記大径部（２bL,２bR）に嵌る、ことである。
【００１１】
上記構成では、ドライブシャフト（１Ｌ,１Ｒ）がサイドギヤ（２Ｌ,２Ｒ）内部に挿入されるとき、ドライブシャフト（１Ｌ,１Ｒ）の先端と蓋部材（２０Ｌ,２０Ｒ）が突き当たることで、蓋部材（２０Ｌ、２０Ｒ）が圧入部（小径部）から大径部（２bL,２bR）側へ押しやられ、終いには大径部（２bL,２bR）に嵌り、これによりトランスミッション内部の密閉状態が解除され、ドライブシャフト（１Ｌ,１Ｒ）側へ流れ出た潤滑油によってドライブシャフト（１Ｌ,１Ｒ）がオイル潤滑された状態となる。
【００１２】
本発明に係るドライブシャフトの潤滑構造の第３の特徴は、前記蓋部材（３０Ｌ,３０Ｒ）は突起部（３０ａ）と該突起部（３０ａ）の回りに形成された部分円又は楕円状の薄肉部（３０ｂ）とを備え、前記ドライブシャフト（１Ｌ,１Ｒ）が前記サイドギヤ（２Ｌ,２Ｒ）内に挿入されるとき、該ドライブシャフト（１Ｌ,１Ｒ）が前記突起部（３０ａ）に当接することにより前記薄肉部（３０ｂ）が破断される、ことである。
【００１３】
上記構成では、ドライブシャフト（１Ｌ,１Ｒ）がサイドギヤ（２Ｌ,２Ｒ）内部に挿入されるとき、ドライブシャフト（１Ｌ,１Ｒ）の先端と蓋部材の突起部（３０ａ）が突き当たることで、突起部（３０ａ）の回りに形成された部分円又は楕円状の薄肉部（３０ｂ）が破断され、これによりトランスミッションの密閉状態が解除され、ドライブシャフト（１Ｌ,１Ｒ）側へ流れ出た潤滑油によってドライブシャフト（１Ｌ,１Ｒ）がオイル潤滑された状態となる。
【発明の効果】
【００１４】
本発明のドライブシャフトの潤滑構造によれば、ドライブシャフト（１Ｌ,１Ｒ）がサイドギヤ（２Ｌ,２Ｒ）内部に挿入されるとき、蓋部材（20L,20R、30L,30R）のシールがドライブシャフト（１Ｌ,１Ｒ）によって壊され、これによりトランスミッション内部の密閉状態が解除され、ドライブシャフト（１Ｌ,１Ｒ）側へ流れ出た潤滑油によってドライブシャフト（１Ｌ,１Ｒ）がオイルによって潤滑された状態となる。その結果、従来のようなグリス潤滑に頼ることがないため、グリス選択、量および塗り方の管理も不要となり、更には車体工場においてオイル管理・注入設備等も不要となる。そして、トランスミッション内部の潤滑油を使用した耐久性の高いオイル潤滑構造を実現することが可能となる。
【図面の簡単な説明】
【００１５】
【図１】本発明に係るドライブシャフトの潤滑構造を示す要部断面説明図である
【図２】本発明に係るドライブシャフトの潤滑構造におけるドライブシャフトのオイル潤滑を示す要部断面説明図である。
【図３】本発明に係るドライブシャフトの潤滑構造の変形例を示す要部断面説明図である。
【図４】本発明に係る蓋部材を示す説明図である。
【図５】本発明に係るドライブシャフトの潤滑構造の変形例におけるドライブシャフトのオイル潤滑を示す要部断面説明図である。
【図６】従来のドライブシャフトの潤滑構造を示す要部断面説明図である。
【発明を実施するための形態】
【００１６】
以下、図に示す実施の形態により本発明をさらに詳細に説明する。
【００１７】
図１は、本発明に係るドライブシャフトの潤滑構造１００を示す要部断面説明図である。
このドライブシャフトの潤滑構造１００は、左右の駆動輪（図示せず）へ駆動力を伝達するドライブシャフト１Ｌ,１Ｒと、ドライブシャフト１Ｌ,１Ｒと一体に回転するように同シャフト上にそれぞれ取り付けられたサイドギヤ２Ｌ,２Ｒと、サイドギヤ２Ｌ,２Ｒに常時噛み合いながらピニオンシャフト４上に回転自在にそれぞれ取り付けられたピニオンギヤ３Ｕ,３Ｌと、デフケース５に抜け止めピン６によって回転不能に取り付けられたピニオンシャフト４と、上記各部品を収容するデフケース５と、デフケース５の外壁面にボルト８を介して固定されたリングギヤ７と、デフケース５を支持する軸受部９と、軸受部９が取り付けられたトランスミッションケース１０と、オイルがトランスミッションケース１０外に漏洩することを防止するオイルシール部１１Ｌ,１１Ｒと、そして本発明に係る左右の蓋部材２０Ｌ,２０Ｒとを具備して構成されている。以下、各構成について更に説明する。
【００１８】
ドライブシャフト１Ｌ,１Ｒの外周面先端部分には、縦長のスプライン溝１aL,１aRが周方向に沿って形成されている。他方、サイドギヤ２Ｌ,２Ｒの内周面先端部分には上記スプライン溝１aL,１aRと嵌合する縦長のスプライン歯２aL,２aRが周方向に沿って形成されている。従って、ドライブシャフト１Ｌ,１Ｒとサイドギヤ２Ｌ,２Ｒはスプライン結合して常に一体となって回転する。
【００１９】
また、サイドギヤ２Ｌ,２Ｒの内周面先端部分には、他の内周面の内径rより拡径（R＞r）した大径部２bL,２bRが形成されている。詳細については図２を参照しながら後述するが、車輌組付けにおいてドライブシャフト１Ｌ,１Ｒがサイドギヤ２Ｌ,２Ｒ内部に挿入されるとき、ドライブシャフト１Ｌ,１Ｒの先端部が蓋部材２０Ｌ,２０Ｒを大径部２bL,２bRに押しやり、蓋部材２０Ｌ,２０Ｒが大径部２bL,２bRに嵌る（落ちる）ことにより、トランスミッション内部の密封構造が解除され、トランスミッション内部の潤滑油が流れ出てドライブシャフト１Ｌ,１Ｒがオイル潤滑されることになる。
【００２０】
ピニオンギヤ３Ｕ,３Ｌは、左右駆動輪間、すなわち左右のドライブシャフト１Ｌ,１Ｒ間に差回転が発生する場合のみピニオンシャフト４に対し回転（自転）し、上記差回転を吸収する。
【００２１】
ピニオンシャフト４は、抜け止めピン６によってデフケース５に回転不能に固設されている。従って、リングギヤ７が回転駆動される場合、デフケース５及びピニオンシャフト４が一体となって回転し、ピニオンギヤ３Ｕ,３Ｌ及びサイドギヤ２Ｌ,２Ｒを介して、変速機（図示せず）から伝達されて来る駆動力を左右のドライブシャフト１Ｌ,１Ｒへそれぞれ配分する。
【００２２】
デフケース５は、サイドギヤ２Ｌ,２Ｒ及びピニオンギヤ３Ｕ,３Ｌ等を収納するため、窓構造を成して構成されている。また、デフケース５の内部は潤滑油に関し解放構造を成し、サイドギヤ２Ｌ,２Ｒ及びピニオンギヤ３Ｕ,３Ｌ等が取り付けられた状態で、点線の位置Ｌまで潤滑油（オイル）が満たされ、蓋部材２０Ｌ,２０Ｒによってサイドギヤ２Ｌ,２Ｒの内部開口が封止（シール）されている。
【００２３】
リングギヤ７は、変速機側の最終歯車であるファイナルギヤ（図示せず）に噛み合っている。リングギヤの歯数はファイナルギヤの歯数の４倍程度に設定され、これによりリングギヤ７において変速機から伝達されて来る駆動力の回転数は１／４程度に減速される。
【００２４】
軸受部９については、デフケース５に対しドライブシャフト１Ｌ,１Ｒに直交するトルクフローと同平行するトルクフローが同時に作用するため、ラジアル方向とアキシャル方向の各荷重を同時に受ける、例えば円すいころ軸受が用いられている。
【００２５】
蓋部材２０Ｌ,２０Ｒは円筒形の部材である。蓋部材２０Ｌ,２０Ｒは、ドライブシャフト１Ｌ,１Ｒが挿入される車輌組付け前において、サイドギヤ２Ｌ,２Ｒ内周面の内でスプライン歯２aL,２aRが形成されていない内周面先端部分に圧挿入される。これにより、サイドギヤ２Ｌ,２Ｒ内部を封止し、トランスミッション内部を密閉構造としている。これにより、車輌組付け前においてトランスミッション内部の潤滑油は外部に漏れることがない。
【００２６】
図２は、本発明に係るドライブシャフトの潤滑構造１００におけるドライブシャフト１Ｌ,１Ｒのオイル潤滑を示す要部断面説明図である。
車輌組付け時にドライブシャフト１Ｌ,１Ｒをサイドギヤ２Ｌ,２Ｒの内部深く挿入すると、ドライブシャフト１Ｌ,１Ｒの先端部が蓋部材２０Ｌ,２０Ｒに当接し、蓋部材２０Ｌ,２０Ｒはピニオンシャフト４側に押しやられ、終いにはサイドギヤ２Ｌ,２Ｒの大径部２bL,２bRに嵌る。蓋部材２０Ｌ,２０Ｒの外径は大径部２bL,２bRの内径Rよりも小さいため、蓋部材２０Ｌ,２０Ｒはサイドギヤ２Ｌ,２Ｒの内部をシールすることが出来なくなり、これによりトランスミッション内部の密閉構造が解除され、潤滑油（オイル）が蓋部材２０Ｌ,２０Ｒと大径部２bL,２bRとの隙間から流れ出て、ドライブシャフト１Ｌ,１Ｒ外周面とサイドギヤ２Ｌ,２Ｒ内周面との間に入り込み、ドライブシャフト１Ｌ,１Ｒがオイルによって潤滑される。なお、蓋部材２０Ｌ,２０Ｒは大径部２bL,２bRに嵌った後はそのまま大径部２bL,２bRに留まる。
【００２７】
図３は、本発明に係るドライブシャフトの潤滑構造の変形例を示す要部断面説明図である。
上記ドライブシャフトの潤滑構造１００は、サイドギヤ２Ｌ,２Ｒ内部に圧挿入された蓋部材２０Ｌ,２０Ｒをドライブシャフト１Ｌ,１Ｒによって大径部２bL,２bRに押しやることにより、トランスミッション内部の密閉構造を解除し、ドライブシャフト１Ｌ,１Ｒをオイル潤滑している（圧入構造）。これに対し、このドライブシャフトの潤滑構造２００では、ドライブシャフト１Ｌ,１Ｒによって蓋部材３０Ｌ,３０Ｒの一部を破断することにより、トランスミッション内部の密閉構造を解除し、ドライブシャフト１Ｌ,１Ｒをオイル潤滑している（プルタブ構造）。従って、蓋部材３０Ｌ,３０Ｒは、容易に破断されやすい構造を成し、車輌組付け前においては大径部２bL,２bRに固定されトランスミッション内部を密閉状態に保持している。以下、その蓋部材３０Ｌ,３０Ｒについて説明する。
【００２８】
図４は、本発明に係る蓋部材３０Ｌ,３０Ｒを示す説明図である。なお、図４(a)は正面図を、同(b)は右側面図を、同(c)はドライブシャフト１Ｌが蓋部材３０Ｌに当接した状態をそれぞれ示している。
図４(a)(b)に示されるように、トランスミッション内部のオイルの液面Ｌに対応する高さ位置に突起部３０ａが形成され、その回りに部分楕円状の薄肉部３０ｂが形成されている。
【００２９】
図４(c)に示されるように、ドライブシャフト１Ｌの先端部が突起部３０ａに当接すると、折曲部３０ｃを支点として薄肉部３０ｂの内側が押し下げられ、開口が形成される。従って、折曲部３０ｃの板厚については、薄肉部３０ｂより厚く薄肉部３０ｂ以外の他の部位よりは薄いことが望ましい。
【００３０】
図５は、本発明に係るドライブシャフトの潤滑構造２００におけるドライブシャフト１Ｌ,１Ｒのオイル潤滑を示す要部断面説明図である。
車輌組付け時にドライブシャフト１Ｌ,１Ｒをサイドギヤ２Ｌ,２Ｒの内部深く挿入すると、ドライブシャフト１Ｌ,１Ｒの先端部が蓋部材３０Ｌ,３０Ｒの突起部３０ａに当接し、なおも深く挿入すると、薄肉部３０ｂが破断し、なおも深く挿入すると、薄肉部３０ｂが図４の折曲部３０ｃを支点として押し下げられ、これによりトランスミッション内部の密閉構造が解除され、薄肉部３０ｂが押し下げられたことにより生じた蓋部材（３０Ｌ,３０Ｒ）の各開口から潤滑油(オイル）が流れ出て、ドライブシャフト１Ｌ,１Ｒ外周面とサイドギヤ２Ｌ,２Ｒ内周面との間に入り込み、ドライブシャフト１Ｌ,１Ｒがオイルによって潤滑される。なお、ドライブシャフト１Ｌ,１Ｒの最終位置において押し下げられた薄肉部３０ｂはピニオンシャフト４に接触していないことが望ましい。
【００３１】
以上の通り、本発明に係るドライブシャフトの潤滑構造１００,２００によれば、ドライブシャフト（１Ｌ,１Ｒ）がサイドギヤ（２Ｌ,２Ｒ）内部に挿入されるとき、蓋部材（20L,20R、30L,30R）のシールがドライブシャフト（１Ｌ,１Ｒ）によって壊され、これによりトランスミッションの密閉状態が解除され、ドライブシャフト（１Ｌ,１Ｒ）側へ流れ出た潤滑油によってドライブシャフト（１Ｌ,１Ｒ）がオイル潤滑された状態となる。その結果、従来のようなグリス潤滑に頼ることがないため、グリス選択、量および塗り方の管理も不要となり、更には車体工場においてオイル管理・注入設備等も不要となる。そして、トランスミッション内部の潤滑油を使用した耐久性の高いオイル潤滑構造を実現することが可能となる。
【符号の説明】
【００３２】
１Ｌ、１Ｒ        ドライブシャフト
１aL、１aR        スプライン溝
２Ｌ、２Ｒ        サイドギヤ
２aL、２aR        スプライン歯
２bL、２bR        大径部
３Ｕ、３Ｒ        ピニオンギヤ
４                ピニオンシャフト
５                デフケース
６                抜け止めピン
７                リングギヤ
８                ボルト
９                軸受部
１０              トランスミッションケース
１１              オイルシール部
Ｌ                オイル液面
２０Ｌ、２０Ｒ    蓋部材
３０Ｌ、３０Ｒ    蓋部材
３０ａ            突起部
３０ｂ            薄肉部
３０ｃ            折曲部
１００、２００    ドライブシャフトの潤滑構造
【図１】
2016148410.tif 000003
【図２】
2016148410.tif 000004
【図３】
2016148410.tif 000005
【図４】
2016148410.tif 000006
【図５】
2016148410.tif 000007
【図６】
2016148410.tif 000008